(57)【特許請求の範囲】
【請求項１】
郵便ポストの下部にフィルタを介して着脱自在に装着される毒物検知システムであって、その内部に、
ＡＴＰ（アデノシン三リン酸）の化学反応による発光現象を利用して異物を検知する第１のメンブレンフィルタと、
有毒物質に反応する物質を用いた第２のメンブレンフィルタとを備えて成ることを特徴とする毒物検知システム。
【請求項２】
郵便ポストの下部にフィルタを介して着脱自在に装着される毒物検知システムであって、その内部に、
毒性ガスを検出するガス検知器と、
ＡＴＰ（アデノシン三リン酸）の化学反応による発光現象を利用して異物を検知する第１のメンブレンフィルタと、
この第１のメンブレンフィルタによる発光現象を輝点発光として計数する高感度光電子増倍管と、
有毒物質に反応する物質を用いた第２のメンブレンフィルタとを備えて成ることを特徴とする毒物検知システム。
【請求項３】
前記毒物検知システムの外側に、少なくとも第１のメンブレンフィルタ又は第２のメンブレンフィルタにより異常を検知したとき、警告を発する警報装置を備えて成ることを特徴とする請求項１又は請求項２記載の毒物検知システム。
【請求項４】
郵便ポストの下部にフィルタを介して区切られた領域を有する郵便ポストであって、前記領域内に、
ＡＴＰ（アデノシン三リン酸）の化学反応による発光現象を利用して異物を検知する第１のメンブレンフィルタと、
有毒物質に反応する物質を用いた第２のメンブレンフィルタとを備えて成ることを特徴とする毒物検知のための郵便ポスト。
【請求項５】
前記郵便ポストの外側に、第１のメンブレンフィルタ又は第２のメンブレンフィルタにより異常を検知したとき、警告を発する警報装置を備えて成ることを特徴とする請求項４記載の毒物検知のための郵便ポスト。
【発明の詳細な説明】
【０００１】
【発明の属する技術分野】
本発明は、郵便受け箱・郵便ポストに投入された郵便物に入れられた毒物を検出するシステムなどに関する。
【０００２】
【従来の技術】
最近、郵便物に毒性を有する微生物や化学物質などを混入させて、被害を与える事件が多発している。郵便物は不特定多数の差出人から送られて来るものであり、その中や外表面に目には見えない毒物が付着していても一般の人には、それを知るすべがないゆえに深刻な被害を受ける場合が多く、自らを防衛する有効な手段がないという問題があった。
【０００３】
【発明が解決しようとする課題】
本発明は、従来の上述のような問題点に鑑みてなされたもので、郵便ポストや郵便受け（まとめて郵便ポストという）に投函された封書などの郵便物に異物が付着している場合などに早期にその異常を発見できる毒物検知システムや郵便ポストを提供することを目的とする。
【０００４】
【課題を解決するための手段】
本発明の請求項１によれば、郵便ポストの下部にフィルタを介して着脱自在に装着される毒物検知システムであって、その内部に、ＡＴＰ（アデノシン三リン酸）の化学反応による発光現象を利用して異物を検知する第１のメンブレンフィルタと、有毒物質に反応する物質を用いた第２のメンブレンフィルタとを備えて成ることを特徴とする毒物検知システムを提供する。
【０００５】
本発明の請求項４によれば、郵便ポストの下部にフィルタを介して区切られた領域を有する郵便ポストであって、前記領域内に、ＡＴＰ（アデノシン三リン酸）の化学反応による発光現象を利用して異物を検知する第１のメンブレンフィルタと、有毒物質に反応する物質を用いた第２のメンブレンフィルタとを備えて成ることを特徴とする毒物検知郵便ポストを提供する。
【０００６】
【発明の実施の形態】
以下、本発明の実施形態について図面を用いて説明する。
【０００７】
図１に、本発明による郵便受け箱（郵便ポスト）に設けられる毒物検出システムの一実施形態の構成例を示す。このシステムは、既存の郵便ポスト１１の下部に装着された着脱式の検知装置１２である。この装置と郵便ポストの間には、すのこ状、格子状、または穴あき式のフィルタ１３を設け、投入された郵便物から落ちてくる微細物質などを下部の検知装置へ通過させる。フィルタ１３は検知装置１２に設けてもよく、郵便ポスト１１に設けるようにしてもよい。
【０００８】
検知装置１２は内部に、有毒ガスなどを検出するガス検知器１４と、メンブレンフィルタの発光反応を計数する高感度光電子増倍管１５と、ルシフェリン・ルシフェラーゼなどを用いて微生物に対するＡＴＰ（アデノシン三リン酸）の発光現象である輝点発光を検知することにより微生物を検出する第１メンブレンフィルタ１６と、シアン化合物を検出するピリジリン−ピラゾロン試薬やヒ素を検出する硫化ナトリウム、硫化アンモニウムなどを紙片にしみ込ませた第２メンブレンフィルタ１７を有し、その外側に検出結果により警告を発する警報装置１８を有する。
【０００９】
郵便ポスト１１の郵便物投入口から投入された郵便物に例えば毒物が付着していた、あるいは落下のショックで毒物が漏れたとする。すると、付着していたり、漏れ出したりした毒物がフィルタ１３を通過して検出装置１２に落下する。これをガス検知器１４、第一メンブレンフィルタ１６と第２メンブレンフィルタ１７の２段のフィルタ、および高感度光電子増倍管１５で検知し、検出された場合には警報装置１８によって警告する。
【００１０】
図２に、本発明一実施形態の検出装置１２の詳細を示す。毒物２１はフィルタ１３を通過し、ガス状の毒物２２であればガス検知器１４によって検出され、警告される。
【００１１】
また、その毒物が毒性微生物２３であれば第１メンブレンフィルタ１６のルシフェリン・ルシフェラーゼなどの化学発光フィルタに付着し輝点発光させる。これは、ＡＴＰ（アデノシン三リン酸）が物質と反応するときの発光現象を利用したものである。輝点発光２４は高感度光電子増倍管１５で検知され計数される。この計数の結果が規定を超えた場合、警告を発する。毒性化学物質２５の場合は、シアン化合物、ヒ素、鉛などの特定物質を検知するための試験紙やフィルタによって有害な無機物を検出する。これは、例えばシアン化合物に対してはピリジン−ピラゾロン試薬、ヒ素に対しては硫化ナトリウムや硫化アンモニウム、鉛に対してはロジソン酸ナトリウムやハイドロキシアントラヒノン誘導体など用いる。有毒な無機物が検出された場合は警報装置１８により警告を発する。
【００１２】
次に、図３のフローチャートを用いて検出装置１２における処理の流れを説明する。ステップＳ３０１では、ガス検知器１４において有毒ガスの検査が行われる。ステップＳ３０２では、有毒ガスが検出されたか調べ、検出された場合はステップＳ３０３に進み、検出されない場合はステップＳ３０４に進む。ステップＳ３０３では、有毒ガスが検出されたので警報装置１８に通知し、警報を発する。この警報装置１８は、アラーム音や発光ＬＥＤの発光・点滅などの手段により警告するものである。
【００１３】
ステップＳ３０４では、第１のメンブレンフィルタ１６での輝点発光を高感度光電子増倍管１５により計数する。ステップＳ３０５では、高感度光電子増倍管１５での計数値が所定数以上になったかを調べ、所定数以上であればステップＳ３０６に進み、以下ならばステップＳ３０７に進む。ステップＳ３０６では、高感度光電子増倍管１５での計数値が所定数以上であるので毒性微生物を検出したと判断し、警報装置１８に通知して警報を発する。
【００１４】
ステップＳ３０７では、第２のメンブレンフィルタ１７のフィルタで有害化学物質を検査する。ステップＳ３０８で、有害物質の検出の有無を調べ、検出された場合はステップＳ３０９に進み、検出されない場合は終了する。ステップＳ３０９では、有害化学物質の検出を警報装置１８に通知して警報を発する。
【００１５】
このようにして本システムは郵便物に入った、或いは付着したガス、微生物、化学物質などの毒物を、郵便ポストに郵便物が投入された直後に検出し、警告を発することができる。しかも、郵便ポストの下部に装着すればよく、従来の郵便ポストの一部を改造するだけで設置できる利点がある。
【００１６】
また、既存の郵便受け箱や郵便ポストに装着する着脱式の検出装置について述べたが、これらを一体にしたもの、即ち郵便ポストの下部に検出装置が設けられている構造であってもよい。図４に、このように郵便受け箱と検出装置を一体とした構造の郵便ポストを示す。この検出装置内蔵の郵便ポスト４１は、前記実施形態の例で述べた検出装置と同様の検出装置を内部に組み込んだものとなる。また、高感度光電子増倍管１５の代替として、光を電子に変換する素子であるＣＣＤ（Ｃｈａｒｇｅ  Ｃｏｕｐｌｅｄ  Ｄｅｖｉｃｅ）デバイスを用いることは何ら問題なく、これらの検出器を備えたフォトンカウンティングカメラやＣＣＤカメラを使用しても同様の効果が得られる。
【００１７】
【発明の効果】
以上述べたように本発明によれば、郵便ポストに投函された封書などの郵便物に異物が付着している場合などに早期にその異常を発見できる毒物検知システムなどが得られる。
【図面の簡単な説明】
【図１】本発明における一実施形態の全体構成例を示す図。
【図２】本発明における一実施形態の内部構成例を示す図。
【図３】本発明における一実施形態の動作を説明するためのフローチャートを示す図。
【図４】本発明における他の実施形態の構成例を示す図。
【符号の説明】
１１・・・郵便ポスト、１２・・・着脱式検知装置、１３・・・格子状フィルタ、１４・・・ガス検知器、１５・・・高感度光電子増倍管、１６・・・第１のメンブレンフィルタ、１７・・・第２のメンブレンフィルタ、１８・・・警報装置、２１・・・毒物、２２・・・ガス状毒物、２３・・・毒性微生物、２４・・・輝点発光、２５・・・毒性化学物質。
【図１】
0003600590.tif 000002
【図２】
0003600590.tif 000003
【図３】
0003600590.tif 000004
【図４】
0003600590.tif 000005